(57)【要約】  将来の無線通信システムにおいて、ＲＲＣ再構成手順後からＭＡＣ  ＣＥアクティベーションまでの間に、適切な基地局ビーム（ＴＣＩ状態）を想定するために、本開示のユーザ端末の一態様は、ＲＲＣ（Radio  Resource  Control）再構成完了メッセージ送信後にＰＤＣＣＨ（Physical  Downlink  Control  Channel）を受信する受信部と、前記ＲＲＣ再構成がランダムアクセス手順を伴う場合、前記ランダムアクセス手順において識別された同期信号ブロックまたはチャネル状態情報参照信号と、前記ＰＤＣＣＨが疑似コロケーションであると想定する制御部と、を有する。
2020026455.tif 000002
【特許請求の範囲】
【請求項１】
ＲＲＣ（Radio  Resource  Control）再構成完了メッセージ送信後にＰＤＣＣＨ（Physical  Downlink  Control  Channel）を受信する受信部と、
前記ＲＲＣ再構成がランダムアクセス手順を伴う場合、前記ランダムアクセス手順において識別された同期信号ブロックまたはチャネル状態情報参照信号と、前記ＰＤＣＣＨが疑似コロケーションであると想定する制御部と、を有することを特徴とするユーザ端末。
【請求項２】
前記制御部は、前記ＲＲＣ再構成がランダムアクセス手順を伴わない場合、前記ＲＲＣ再構成で通知された制御要素内の所定のビームと、前記ＰＤＣＣＨが疑似コロケーションであると想定することを特徴とする請求項１に記載のユーザ端末。
【請求項３】
前記所定のビームは、前記制御要素内の最小ＩＤによって提供されることを特徴とする請求項２に記載のユーザ端末。
【請求項４】
前記制御部は、前記ＲＲＣ再構成がランダムアクセス手順を伴う場合、前記ランダムアクセス手順において識別された同期信号ブロックまたはチャネル状態情報参照信号と、ＰＵＣＣＨ（Physical  Uplink  Control  Channel）が疑似コロケーションであると想定することを特徴とする請求項１から請求項３のいずれかに記載のユーザ端末。
【請求項５】
前記制御部は、前記ＲＲＣ再構成がランダムアクセス手順を伴う場合、前記ＲＲＣ再構成前のビーム決定メカニズムを再利用してＰＵＣＣＨを送信するビームを決定することを特徴とする請求項１から請求項３のいずれかに記載のユーザ端末。
【請求項６】
ＲＲＣ（Radio  Resource  Control）再構成完了メッセージ送信後にＰＤＣＣＨ（Physical  Downlink  Control  Channel）を受信するステップと、
前記ＲＲＣ再構成がランダムアクセス手順を伴う場合、前記ランダムアクセス手順において識別された同期信号ブロックまたはチャネル状態情報参照信号と、前記ＰＤＣＣＨが疑似コロケーションであると想定するステップと、を有することを特徴とするユーザ端末の無線通信方法。
【発明の詳細な説明】
【技術分野】
【０００１】
本発明は、次世代移動通信システムにおけるユーザ端末および無線通信方法に関する。
【背景技術】
【０００２】
既存のＬＴＥシステム（たとえば、Ｒｅｌ．１３）では、たとえば、ハンドオーバの実行に際し、ＲＲＣ（Radio  Resource  Control）接続を変更するために、ＲＲＣ接続再構成（RRC  connection  reconfiguration）の手順を行う。
【先行技術文献】
【非特許文献】
【０００３】
【非特許文献１】3GPP  TS  36.331  V13.8.1  “Evolved  Universal  Terrestrial  Radio  Access  (E-UTRA);  Radio  Resource  Control  (RRC);  Protocol  specification  (Release  13)”、２０１８年１月
【発明の概要】
【発明が解決しようとする課題】
【０００４】
将来の無線通信システム（たとえば、Ｒｅｌ．１５）では、ビームフォーミングを利用して通信を行うことが検討されている。ビームフォーミングを利用した通信品質を向上するために、複数の信号間の疑似コロケーション（Quasi-Co-Location（ＱＣＬ））の関係を考慮して信号の送信および受信の少なくとも一方を制御することが検討されている。【０００５】
将来の無線通信システムでは、ユーザ端末が、制御リソースセット（Control  Resource  Set（ＣＯＲＥＳＥＴ））のＱＣＬに関する情報を示す（または、含む）送信設定指標（Transmission  Configuration  Indicator（ＴＣＩ））の状態（ＴＣＩ状態）に基づいて、当該ＣＯＲＥＳＥＴの所定のリソース単位にマッピングされる下り制御チャネル（たとえば、Physical  Downlink  Control  Channel（ＰＤＣＣＨ））の受信を制御することが検討されている。【０００６】
将来の無線通信システムでは、当該ＣＯＲＥＳＥＴに適用されるＴＣＩ状態を、ＭＡＣ制御要素（Medium  Access  Control  Control  Element（ＭＡＣ  ＣＥ））を使用して指定することも検討されている。【０００７】
しかしながら、将来の無線システムにおいて、ＲＲＣ再構成する場合、ＲＲＣ再構成手順後からＭＡＣ  ＣＥアクティベーションまでの間に、ユーザ端末が想定する基地局ビーム（ＴＣＩ状態）について、明らかになっていない。【０００８】
本発明は、かかる点に鑑みてなされたものであり、将来の無線通信システムにおいて、ＲＲＣ再構成手順後からＭＡＣ  ＣＥアクティベーションまでの間に、適切な基地局ビーム（ＴＣＩ状態）を想定できるユーザ端末および無線通信方法を提供することを目的の１つとする。
【課題を解決するための手段】
【０００９】
本発明のユーザ端末の一態様は、ＲＲＣ（Radio  Resource  Control）再構成完了メッセージ送信後にＰＤＣＣＨ（Physical  Downlink  Control  Channel）を受信する受信部と、前記ＲＲＣ再構成がランダムアクセス手順を伴う場合、前記ランダムアクセス手順において識別された同期信号ブロックまたはチャネル状態情報参照信号と、前記ＰＤＣＣＨが疑似コロケーションであると想定する制御部と、を有することを特徴とする。
【発明の効果】
【００１０】
本発明によれば、将来の無線通信システムにおいて、ＲＲＣ再構成手順後からＭＡＣ  ＣＥアクティベーションまでの間に、適切な基地局ビーム（ＴＣＩ状態）を想定できる。
【図面の簡単な説明】
【００１１】
【図１】将来の無線通信システムにおけるＰＤＣＣＨ用ビーム管理の一例を示す図である。
【図２】１以上のＴＣＩ状態がＲＲＣによって再構成される場合の一例を示す図である。
【図３】１以上のＴＣＩ状態がＲＲＣによって再構成される場合の一例を示す図である。
【図４】第１の態様に係る、ＰＤＣＣＨ用ビーム管理の一例を示す図である。
【図５】第１の態様に係る、ＰＤＣＣＨ用ビーム管理の一例を示す図である。
【図６】本実施の形態に係る無線通信システムの概略構成の一例を示す図である。
【図７】本実施の形態に係る無線基地局の機能構成の一例を示す図である。
【図８】無線基地局のベースバンド信号処理部の機能構成の一例を示す図である。
【図９】本実施の形態に係るユーザ端末の機能構成の一例を示す図である。
【図１０】ユーザ端末のベースバンド信号処理部の機能構成の一例を示す図である。
【図１１】本発明の一実施形態に係る無線基地局およびユーザ端末のハードウェア構成の一例を示す図である。
【発明を実施するための形態】
【００１２】
（ＱＣＬおよびＴＣＩ）
将来の無線通信システム（たとえば、Ｒｅｌ．１５）では、ユーザ端末は、下り制御チャネル（Physical  Downlink  Control  Channel（ＰＤＣＣＨ））、下り共有チャネル（Physical  Downlink  Shared  Channel（ＰＤＳＣＨ））、上り制御チャネル（Physical  Uplink  Control  Channel（ＰＵＣＣＨ））などのチャネルの疑似コロケーション（Quasi-Co-Location（ＱＣＬ））に関する情報に基づいて、デマッピング、復調、複合、受信ビーム形成などの当該チャネルの受信処理、および、マッピング、変調、符号化、プリコーディング、送信ビーム形成などの当該チャネルの送信処理を制御することが検討されている。
【００１３】
ここで、ＱＣＬは、チャネルの統計的性質を示す指標である。たとえば、ある信号またはチャネルと、他の信号またはチャネルとがＱＣＬの関係である場合、これらの異なる複数の信号またはチャネル間において、ドップラーシフト、ドップラースプレッド、平均遅延、遅延スプレッド、または、空間パラメータ（たとえば、空間受信パラメータ）の少なくとも１つが同一であると仮定（想定、assume）できることを意味してもよい。
【００１４】
空間受信パラメータは、ユーザ端末の受信ビーム、たとえば、受信アナログビームに対応してもよく、空間的ＱＣＬに基づいてビームが特定されてもよい。本開示におけるＱＣＬまたはＱＣＬの少なくとも１つの要素は、ｓＱＣＬ（spatial  QCL）で読み替えられてもよい。
【００１５】
ＱＣＬは、複数のＱＣＬタイプが規定されてもよい。たとえば、同一であると仮定できるパラメータまたはパラメータセットが異なる４つのＱＣＬタイプ（ＱＣＬタイプＡからＤ）が設けられてもよい。
【００１６】
ＱＣＬタイプＡは、ドップラーシフト、ドップラースプレッド、平均遅延および遅延スプレッドが同一であると仮定できるＱＣＬである。
【００１７】
ＱＣＬタイプＢは、ドップラーシフトおよびドップラースプレッドが同一であると仮定できるＱＣＬである。
【００１８】
ＱＣＬタイプＣは、平均遅延およびドップラーシフトが同一であると仮定できるＱＣＬである。
【００１９】
ＱＣＬタイプＤは、空間受信パラメータが同一であると仮定できるＱＣＬである。
【００２０】
将来の無線通信システムでは、送信設定指標（Transmission  Configuration  Indicator（ＴＣＩ））の状態（ＴＣＩ状態）に基づいて、チャネルの送受信処理を制御することが検討されている。
【００２１】
ＴＣＩ状態は、ＱＣＬ情報を示していてもよい。または、ＴＣＩ状態は、ＱＣＬ情報を含んでいてもよい。ＴＣＩ状態およびＱＣＬ情報の少なくとも一方は、たとえば、対象となるチャネルまたは当該チャネル用の参照信号と、別の信号（たとえば、別の下り参照信号）とのＱＣＬに関する情報であってもよい。当該ＱＣＬに関する情報は、たとえば、ＱＣＬとなる下り参照信号に関する情報、および、上述のＱＣＬタイプを示す情報の少なくとも一方を含んでいてもよい。
【００２２】
下り参照信号（Downlink  Reference  Signal（ＤＬ−ＲＳ））に関する情報、すなわち、ＤＬ−ＲＳ関連情報は、ＱＣＬとなるＤＬ−ＲＳを示す情報、および、当該ＤＬ−ＲＳのリソースを示す情報の少なくとも一方を含んでいてもよい。たとえば、ユーザ端末に複数の参照信号セットが設定される場合、ＤＬ−ＲＳ関連情報は、当該参照信号セットに含まれる参照信号のうち、チャネルまたは当該チャネル用のポートとＱＣＬとなる下り参照信号、および、当該下り参照信号用のリソースの少なくとも一方を示していてもよい。
【００２３】
チャネル用の参照信号および下り参照信号（ＤＬ−ＲＳ）の少なくとも一方は、同期信号（Synchronization  Signal（ＳＳ））、ブロードキャストチャネル（Physical  Broadcast  Channel（ＰＢＣＨ））、同期信号ブロック（Synchronization  Signal  Block（ＳＳＢ））、モビリティ参照信号（Mobility  Reference  Signal（ＭＲＳ））、チャネル状態情報参照信号（Channel  State  Information  Reference  Signal（ＣＳＩ−ＲＳ））、復調用参照信号（Demodulation  Reference  Signal（ＤＭＲＳ））、または、ビーム固有の信号の少なくとも１つ、もしくは、これらを拡張または変更して構成される信号（たとえば、密度および周期の少なくとも一方を変更して構成される信号）であってもよい。
【００２４】
同期信号は、たとえば、プライマリ同期信号（Primary  Synchronization  Signal（ＰＳＳ））およびセカンダリ同期信号（Secondary  Synchronization  Signal（ＳＳＳ））の少なくとも一方であってもよい。同期信号ブロック（ＳＳＢ）は、同期信号およびブロードキャストチャネルを含む信号ブロックであってもよい。当該信号ブロックは、ＳＳ／ＰＢＣＨブロックと呼ばれてもよい。
【００２５】
ＰＤＣＣＨまたはＰＤＣＣＨに関連するＤＭＲＳアンテナポート、および、所定の下り参照信号（ＤＬ−ＲＳ）のＱＣＬに関する情報は、ＰＤＣＣＨ用ＴＣＩ状態と呼ばれてもよい。
【００２６】
ユーザ端末は、ＵＥ固有のＰＤＣＣＨ（ＣＯＲＥＳＥＴ）のためのＴＣＩ状態を、ＲＲＣシグナリングおよびＭＡＣ制御要素（Medium  Access  Control  Control  Element、ＭＡＣ  ＣＥ）に基づいて判断してもよい。
【００２７】
制御リソースセット（Control  Resource  Set（ＣＯＲＥＳＥＴ））は、制御チャネル、たとえば、ＰＤＣＣＨの割当候補領域である。ＣＯＲＥＳＥＴは、所定の周波数領域リソースおよび時間領域リソースを含んで構成されてもよい。
【００２８】
ユーザ端末は、ＣＯＲＥＳＥＴの設定情報を、基地局から受信してもよい。ユーザ端末は、自端末に設定されたＣＯＲＥＳＥＴをモニタすれば、物理レイヤ制御信号を検出できる。
【００２９】
たとえば、ユーザ端末に対して、ＣＯＲＥＳＥＴごとに、１つまたは複数（Ｋ個）のＴＣＩ状態が上位レイヤシグナリングによって設定されてもよい。ユーザ端末は、各ＣＯＲＥＳＥＴについて、それぞれ１つまたは複数のＴＣＩ状態を、ＭＡＣ  ＣＥを使用してアクティベートしてもよい。当該ＭＡＣ  ＣＥは、ＵＥ固有ＰＤＣＣＨ用ＴＣＩ状態指示ＭＡＣ  ＣＥ（TCI  state  indication  for  UE-specific  PDCCH  MAC  CE）と呼ばれてもよい。ユーザ端末は、ＣＯＲＥＳＥＴのモニタを、当該ＣＯＲＥＳＥＴに対応するアクティブなＴＣＩ状態に基づいて実施してもよい。
【００３０】
ＴＣＩ状態は、ビームに対応してもよい。たとえば、ユーザ端末は、異なるＴＣＩ状態のＰＤＣＣＨは、異なるビームを使用して送信されると想定してもよい。
【００３１】
ＰＤＳＣＨまたはＰＤＳＣＨに関連するＤＭＲＳアンテナポート、および、所定の下り参照信号（ＤＬ−ＲＳ）のＱＣＬに関する情報は、ＰＤＳＣＨ用ＴＣＩ状態と呼ばれてもよい。
【００３２】
ユーザ端末は、ＰＤＳＣＨ用のＭ個（Ｍ≧１）のＴＣＩ状態、すなわち、Ｍ個のＰＤＳＣＨ用のＱＣＬ情報を上位レイヤシグナリングによって通知または設定されてもよい。ユーザ端末に設定されるＴＣＩ状態の数Ｍは、ユーザ端末の能力（UE  capability）およびＱＣＬタイプの少なくとも一方によって制限されてもよい。
【００３３】
ＰＤＳＣＨのスケジュールに使用される下りリンク制御情報（Downlink  Control  Information（ＤＣＩ））は、ＴＣＩ状態、すなわち、ＰＤＳＣＨ用のＱＣＬ情報を示す所定のフィールドを含んでいてもよい。当該フィールドは、ＴＣＩ用フィールド、ＴＣＩフィールド、または、ＴＣＩ状態フィールドと呼ばれてもよい。当該ＤＣＩは、１つのセルのＰＤＳＣＨのスケジュールに使用されてもよく、たとえば、ＤＬ  ＤＣＩ、ＤＬアサインメント、ＤＣＩフォーマット１＿０またはＤＣＩフォーマット１＿１と呼ばれてもよい。
【００３４】
ＤＣＩがｘビット（たとえば、ｘ＝３）のＴＣＩフィールドを含む場合、基地局は、最大２ｘ（たとえば、ｘ＝３のとき２３＝８）種類のＴＣＩ状態を、上位レイヤシグナリングを使用して、ユーザ端末にあらかじめ設定してもよい。ＤＣＩ内のＴＣＩフィールドの値（ＴＣＩフィールド値）は、上位レイヤシグナリングによりあらかじめ設定されたＴＣＩ状態の１つを示してもよい。
【００３５】
ユーザ端末に８種類を超えるＴＣＩ状態が設定される場合、ＭＡＣ  ＣＥを使用して、８種類以下のＴＣＩ状態がアクティベートまたは指定されてもよい。当該ＭＡＣ  ＣＥは、ＵＥ固有ＰＤＳＣＨ用ＴＣＩ状態アクティベーション／ディアクティベーションＭＡＣ  ＣＥ（TCI  states  activation/deactivation  for  UE-specific  PDSCH  MAC  CE）と呼ばれてもよい。ＤＣＩ内のＴＣＩフィールド値は、ＭＡＣ  ＣＥによってアクティベートされたＴＣＩ状態の１つを示してもよい。
【００３６】
ユーザ端末は、ＤＣＩ内のＴＣＩフィールド値が示すＴＣＩ状態に基づいて、ＰＤＳＣＨまたはＰＤＳＣＨのＤＭＲＳポートのＱＣＬを決定してもよい。たとえば、ユーザ端末は、サービングセルのＰＤＳＣＨのＤＭＲＳポートまたはＤＭＲＳポートグループが、ＤＣＩで通知されたＴＣＩ状態に対応する下り参照信号（ＤＬ−ＲＳ）とＱＣＬであると想定して、たとえば、復号、復調などのＰＤＳＣＨの受信処理を制御してもよい。
【００３７】
（ビーム管理）
将来の無線通信システム（たとえば、Ｒｅｌ．１５）において、ビーム管理（beam  management）方法が検討されてきた。当該ビーム管理において、ユーザ端末が報告したＬ１−ＲＳＲＰ（Layer  1  Reference  Signal  Received  Power）に基づいて、ビーム選択を行うことが検討されている。ある信号またはチャネルのビーム変更する（切り替える）ことは、当該信号またはチャネルのＴＣＩ状態（ＱＣＬ）を変更することに相当する。
【００３８】
ビーム選択によって選択されるビームは、送信ビーム（Ｔｘビーム）であってもよいし、受信ビーム（Ｒｘビーム）であってもよい。ビーム選択によって選択されるビームは、ユーザ端末のビームであってもよいし、基地局のビームであってもよい。
【００３９】
ユーザ端末は、Ｌ１−ＲＳＲＰを、チャネル状態情報（ＣＳＩ）に含めて上り制御チャネル（ＰＵＣＣＨ）または上り共有チャネル（Physical  Uplink  Shared  Channel（ＰＵＳＣＨ））を使用して報告してもよい。
【００４０】
チャネル状態情報（ＣＳＩ）は、チャネル品質識別子（Channel  Quality  Indicator（ＣＱＩ））、プリコーディング行列識別子（Precoding  Matrix  Indicator（ＰＭＩ））、ＣＳＩ−ＲＳリソース識別子（CSI-RS  Resource  Indicator（ＣＲＩ））、ＳＳ／ＰＢＣＨブロックリソース識別子（SS/PBCH  Block  Indicator（ＳＳＢＲＩ））、レイヤ識別子（Layer  Indicator（ＬＩ））、ランク識別子（Rank  Indicator（ＲＩ））またはＬ１−ＲＳＲＰの少なくとも１つを含んでいてもよい。
【００４１】
ビーム管理のために報告される測定結果、たとえば、ＣＳＩは、ビーム測定（beam  measurement）、ビーム測定結果、または、ビーム測定レポートと呼ばれてもよい。
【００４２】
ユーザ端末は、ＣＳＩ測定用のリソースを使用してチャネル状態を測定し、Ｌ１−ＲＳＲＰを導出してもよい。ＣＳＩ測定用のリソースは、たとえば、ＳＳ／ＰＢＣＨブロックのリソース、ＣＳＩ−ＲＳのリソース、または、その他の参照信号リソースの少なくとも１つであってもよい。ＣＳＩ測定報告の設定情報は、上位レイヤシグナリングを用いてユーザ端末に設定されてもよい。
【００４３】
当該ＣＳＩ測定報告の設定情報（CSI-MeasConfigまたはCSI-ResourceConfig）は、ＣＳＩ測定のための１つ以上のノンゼロパワー（Non  Zero  Power（ＮＺＰ））ＣＳＩ−ＲＳリソースセット（NZP-CSI-RS-ResourceSet）、１つ以上のゼロパワー（ＺＰ）ＣＳＩ−ＲＳリソースセット（ZP-CSI-RS-ResourceSet）（または、ＣＳＩ−ＩＭ（Interference  Management）リソースセット（CSI-IM-ResourceSet））および１つ以上のＳＳ／ＰＢＣＨブロックリソースセット（CSI-SSB-ResourceSet）などの情報を含んでいてもよい。
【００４４】
各リソースセットの情報は、当該リソースセット内のリソースにおける繰り返し（repetition）に関する情報を含んでいてもよい。当該繰り返しに関する情報は、たとえば、「オン」または「オフ」を示していてもよい。「オン」は、有効（enabledまたはvalid）と表されていてもよい。「オフ」は、無効（disabledまたはinvalid）と表されていてもよい。
【００４５】
繰り返し「オン」を設定されたリソースセットについて、ユーザ端末は、当該リソースセット内のリソースが同じ下りリンク空間ドメイン送信フィルタ（same  downlink  spatial  domain  transmission  filter）を使用して送信されたと想定してもよい。この場合、ユーザ端末は、当該リソースセット内のリソースが同じビームを使用して（たとえば、同じ基地局から同じビームを使用して）送信されたと想定してもよい。
【００４６】
繰り返し「オフ」を設定されたリソースセットについて、ユーザ端末は、当該リソースセット内のリソースが同じ下りリンク空間ドメイン送信フィルタを使用して送信されたと想定してはならない、または、想定しなくてもよい、と制御してもよい。この場合、ユーザ端末は、当該リソースセット内のリソースが同じビームを使用して送信されない、すなわち、異なるビームを使用して送信されたと想定してもよい。すなわち、繰り返し「オフ」を設定されたリソースセットについて、ユーザ端末は、基地局がビームスイーピングを行っていると想定してもよい。
【００４７】
図１は、将来の無線通信システム（たとえば、Ｒｅｌ．１５）におけるＰＤＣＣＨ用ビーム管理の一例を示す図である。ネットワーク（たとえば、基地局）は、あるユーザ端末のＰＤＣＣＨ用ＴＣＩ状態を切り替えることを決定する（ステップＳ１０１）。
【００４８】
基地局は、当該ユーザ端末に対して、切り替え前の古いＴＣＩ状態に従うＰＤＣＣＨを使用して、ＰＤＳＣＨのスケジュールのためのＤＣＩを送信する（ステップＳ１０２）。
【００４９】
基地局は、当該ＰＤＳＣＨに、ＵＥ固有ＰＤＣＣＨ用ＴＣＩ状態指示ＭＡＣ  ＣＥを含めて送信する（ステップＳ１０３）。
【００５０】
ユーザ端末は、上記ＤＣＩを検出すると、上記ＰＤＳＣＨを復号し、上記ＭＡＣ  ＣＥを取得する。ユーザ端末は、上記ＭＡＣ  ＣＥを受信すると、当該ＭＡＣ  ＣＥを提供したＰＤＳＣＨのための再送制御情報（Hybrid  Automatic  Repeat  Request  Acknowledgement（ＨＡＲＱ−ＡＣＫ））を、たとえば、ＰＵＣＣＨを使用して上りリンク制御情報（Uplink  Control  Information（ＵＣＩ））に含んで送信する（ステップＳ１０４）。
【００５１】
ユーザ端末は、当該ＨＡＲＱ−ＡＣＫを送信するスロットから３［ｍｓ］後に、上記ＭＡＣ  ＣＥに基づくＴＣＩ状態のアクティベーションコマンドを適用する（ステップＳ１０５）。
【００５２】
基地局は、切り替え後の新しいＴＣＩ状態に従うＰＤＣＣＨを送信する（ステップＳ１０６）。ユーザ端末は、当該ＰＤＣＣＨを受信して、復号する。
【００５３】
このように、将来の無線通信システム（たとえば、Ｒｅｌ．１５）におけるビーム管理において、ＰＤＣＣＨまたはＰＤＳＣＨで１以上のＴＣＩ状態が設定される場合、当該ＴＣＩ状態はＭＡＣ  ＣＥにより選択される。
【００５４】
ビームを切り替えるためにＲＲＣ再構成（RRC  reconfiguration）する場合、ＲＲＣ再構成手順後からＭＡＣ  ＣＥアクティベーションまでの間にユーザ端末が想定する基地局ビーム（ＴＣＩ状態）について、明らかになっていない。
【００５５】
そこで、本発明者らは、ビームを切り替えるためにＲＲＣ再構成する場合の、ＲＲＣ再構成手順後からＭＡＣ  ＣＥアクティベーションまでの間にユーザ端末が想定する基地局ビーム（ＴＣＩ状態）について、具体的に検討した。
【００５６】
以下、本実施の形態について添付図面を参照して詳細に説明する。
【００５７】
（第１の態様）
第１の態様では、ＲＲＣ再構成後からＭＡＣ  ＣＥアクティベーションまでの間の、ＰＤＣＣＨに対するデフォルトのＱＣＬについて検討する。
【００５８】
たとえば、ＲＲＣ制御要素「TCI-StatesPDCCH」によりＣＯＲＥＳＥＴに対するＴＣＩ状態が設定された後であって、当該ＣＯＲＥＳＥＴに対するＴＣＩ状態のＭＡＣ  ＣＥアクティベーション前におけるデフォルトのＱＣＬ仮定は、ユーザ端末の実装次第であると想定してもよい。
【００５９】
しかし、ユーザ端末の実装に委ねることは、基地局とユーザ端末との間の不整合を引き起こす可能性があり、好ましくない。
【００６０】
あるいは、ＲＲＣ制御要素「TCI-StatesPDCCH」により、ＣＯＲＥＳＥＴ＃０またはＣＯＲＥＳＥＴ  ＢＦＲ（Beam  Failure  Recovery）ではない少なくとも１つのＣＯＲＥＳＥＴに対するＴＣＩ状態が設定された後であって、当該ＣＯＲＥＳＥＴに対するＴＣＩ状態のＭＡＣ  ＣＥアクティベーション前に、ユーザ端末は以下の（１）から（３）に示すように仮定すると想定してもよい。
【００６１】
（１）関連する（後続の）ランダムアクセス手順が存在するＲＲＣ再構成の場合、ユーザ端末は、ランダムアクセス手順の間に識別された同期信号ブロック（ＳＳＢ）またはＣＳＩ−ＲＳにより、ＰＤＣＣＨがＱＣＬであると仮定してもよい。
【００６２】
（２）関連するランダムアクセス手順が存在しないＲＲＣ再構成の場合、ユーザ端末は、ＣＯＲＥＳＥＴ内のＰＤＣＣＨに対するＴＣＩ状態を示す最新のＭＡＣ  ＣＥに従うと仮定してもよい。
【００６３】
（３）関連するランダムアクセス手順が存在せず、前のＭＡＣ  ＣＥがＴＣＩ状態を示さない場合、ユーザ端末は、そのＣＯＲＥＳＥＴ上でＰＤＣＣＨを受信することを期待されていないと仮定してもよい。
【００６４】
図２は、上記説明における、１以上のＴＣＩ状態がＲＲＣによって再構成される場合の一例を示す図である。ネットワーク（たとえば、基地局）は、あるユーザ端末のＰＤＣＣＨ用ＴＣＩ状態を切り替えることを決定する（ステップＳ２０１）。
【００６５】
基地局は、ビームを切り替えるためにＲＲＣ再構成手順を開始し、ユーザ端末に対してＲＲＣ制御要素「TCI-StatesPDCCH」を含むＲＲＣ再構成メッセージ（RRCReconfiguration）を送信する（ステップＳ２０２）。
【００６６】
ユーザ端末が、基地局に対して完了メッセージ（RRCReconfigurationComplete）を送信することにより、ＲＲＣ再構成手順が完了する（ステップＳ２０３）。
【００６７】
基地局は、ユーザ端末に対して、切り替え前の古いＴＣＩ状態（図２において、ＴＣＩ状態＃２）に従うＰＤＣＣＨを使用して、ＰＤＳＣＨのスケジュールのためのＤＣＩを送信する（ステップＳ２０４）。
【００６８】
基地局は、当該ＰＤＳＣＨに、ＵＥ固有ＰＤＣＣＨ用ＴＣＩ状態指示ＭＡＣ  ＣＥを含めて送信する（ステップＳ２０５）。
【００６９】
ユーザ端末は、上記ＤＣＩを検出すると、上記ＰＤＳＣＨを復号し、上記ＭＡＣ  ＣＥを取得する。ユーザ端末は、上記ＭＡＣ  ＣＥを受信すると、当該ＭＡＣ  ＣＥを提供したＰＤＳＣＨのためのＨＡＲＱ−ＡＣＫを、たとえば、ＰＵＣＣＨを使用してＵＣＩに含んで送信する（ステップＳ２０６）。
【００７０】
ユーザ端末は、当該ＨＡＲＱ−ＡＣＫを送信するスロットから３［ｍｓ］後に、上記ＭＡＣ  ＣＥに基づくＴＣＩ状態のアクティベーションコマンドを適用する（ステップＳ２０７）。
【００７１】
基地局は、切り替え後の新しいＴＣＩ状態（図２において、ＴＣＩ状態＃３）に従うＰＤＣＣＨを送信する（ステップＳ２０８）。ユーザ端末は、当該ＰＤＣＣＨを受信して、復号する。
【００７２】
図２に示す例によれば、ビームを切り替えるためにＲＲＣ再構成することを決定したとき（ステップＳ２０１）から、ＭＡＣ  ＣＥアクティベーションが適用される（ステップＳ２０８）までの間、ネットワークは、古いＴＣＩ状態を保持し続ける必要がある。
【００７３】
図２に示す例によれば、ビームを切り替えるためにＲＲＣ再構成する際に、ＲＲＣ再構成完了後に再度、古いＴＣＩ状態のビームでＭＡＣ  ＣＥを送信する必要がある。
【００７４】
あるいは、ＲＲＣ制御要素「TCI-StatesPDCCH」によりＣＯＲＥＳＥＴに対するＴＣＩ状態が設定された後であって、当該ＣＯＲＥＳＥＴに対するＴＣＩ状態のＭＡＣ  ＣＥアクティベーション前におけるデフォルトのＴＣＩ状態は、ＣＯＲＥＳＥＴに対するＲＲＣ制御要素「TCI-StatesPDCCH」の最小エントリ、最小ＩＤ、所定番目のエントリ、または、所定番目のＩＤによって提供されると想定してもよい。
【００７５】
図３は、上記説明における、１以上のＴＣＩ状態がＲＲＣによって再構成される場合の一例を示す図である。ネットワーク（たとえば、基地局）は、あるユーザ端末のＰＤＣＣＨ用ＴＣＩ状態を切り替えることを決定する（ステップＳ３０１）。
【００７６】
基地局は、ビームを切り替えるためにＲＲＣ再構成手順を開始し、ユーザ端末に対してＲＲＣ制御要素「TCI-StatesPDCCH」を含むＲＲＣ再構成メッセージ（RRCReconfiguration）を送信する（ステップＳ３０２）。
【００７７】
ユーザ端末が、基地局に対して完了メッセージ（RRCReconfigurationComplete）を送信することにより、ＲＲＣ再構成手順が完了する（ステップＳ３０３）。
【００７８】
基地局は、ユーザ端末に対して、切り替え後の新しいＴＣＩ状態に従うＰＤＣＣＨを送信する（ステップＳ３０４）。基地局は、ＲＲＣ制御要素「TCI-StatesPDCCH」に含まれる、所定のビーム（図３において、最小エントリであるＴＣＩ状態＃３）を想定する。
【００７９】
図３に示す例によれば、図２に示した場合と比較して、ネットワークが古いＴＣＩ状態を保持し続ける期間を短くできる。これは、ネットワークにとって有益である。
【００８０】
これらを踏まえて、第１の態様に係るユーザ端末は、ＲＲＣ再構成後からＭＡＣ  ＣＥアクティベーションまでの間の、ＰＤＣＣＨに対する基地局ビーム（ＴＣＩ状態）について、図４および図５に示すように想定してもよい。
【００８１】
図４および図５は、第１の態様に係る、ＰＤＣＣＨ用ビーム管理の一例を示す図である。
【００８２】
図４に示すように、関連する（後続の）ランダムアクセス手順が存在するＲＲＣ再構成の場合、ユーザ端末は、ランダムアクセス手順の間に識別された同期信号ブロック（ＳＳＢ）またはＣＳＩ−ＲＳと、ＰＤＣＣＨがＱＣＬであると仮定してもよい。
【００８３】
図５に示すように、関連するランダムアクセス手順が存在しないＲＲＣ再構成の場合、ユーザ端末は、ＰＤＣＣＨが、当該ＣＯＲＥＳＥＴに対するＲＲＣ制御要素「TCI-StatesPDCCH」内の所定のビームと、ＱＣＬであると仮定してもよい。たとえば、ユーザ端末は、ＰＤＳＣＨが、当該ＣＯＲＥＳＥＴに対するＲＲＣ制御要素「TCI-StatesPDCCH」の最小ＩＤによって提供されるＴＣＩ状態を有するＱＣＬであると仮定してもよい。
【００８４】
図４に示す例では、ネットワーク（たとえば、基地局）は、あるユーザ端末のＰＤＣＣＨ用ＴＣＩ状態を切り替えることを決定する（ステップＳ４０１）。
【００８５】
基地局は、ビームを切り替えるために、ハンドオーバなどＲＡＣＨを伴うＲＲＣ再構成手順を開始し、ユーザ端末に対してＲＲＣ制御要素「TCI-StatesPDCCH」を含むＲＲＣ再構成メッセージ（RRCReconfiguration）を送信する（ステップＳ４０２）。
【００８６】
ユーザ端末が、基地局に対して完了メッセージ（RRCReconfigurationComplete）を送信することにより、ＲＲＣ再構成手順が完了する（ステップＳ４０３）。
【００８７】
基地局は、ユーザ端末に対して、切り替え後の新しいＴＣＩ状態に従うＰＤＣＣＨを送信する（ステップＳ４０４）。基地局は、ＲＡＣＨのビームとＱＣＬを想定してＰＤＣＣＨを送信する。
【００８８】
図５に示す例では、ネットワーク（たとえば、基地局）は、あるユーザ端末のＰＤＣＣＨ用ＴＣＩ状態を切り替えることを決定する（ステップＳ５０１）。
【００８９】
基地局は、ビームを切り替えるためにＲＡＣＨを伴わないＲＲＣ再構成手順を開始し、ユーザ端末に対してＲＲＣ制御要素「TCI-StatesPDCCH」を含むＲＲＣ再構成メッセージ（RRCReconfiguration）を送信する（ステップＳ５０２）。
【００９０】
ユーザ端末が、基地局に対して完了メッセージ（RRCReconfigurationComplete）を送信することにより、ＲＲＣ再構成手順が完了する（ステップＳ５０３）。
【００９１】
基地局は、ユーザ端末に対して、切り替え後の新しいＴＣＩ状態に従うＰＤＣＣＨを送信する（ステップＳ５０４）。基地局は、ＲＲＣ制御要素「TCI-StatesPDCCH」に含まれる、所定のビーム（図５において、最小ＩＤであるＴＣＩ状態＃０）を想定する。
【００９２】
図４および図５に示す例によれば、ビームを切り替えるためにＲＲＣ再構成する際に、ＲＲＣ再構成完了後に再度、古いＴＣＩ状態のビームでＭＡＣ  ＣＥを送信する必要がなく、ビームを高速かつ適切に切り替えることが可能となる。
【００９３】
第１の態様によれば、ビームを切り替えるためにＲＲＣ再構成する場合の、ＲＲＣ再構成手順後からＭＡＣ  ＣＥアクティベーションまでの間に、ユーザ端末が想定するＰＤＣＣＨに対する基地局ビーム（ＴＣＩ状態）について、明らかになった。
【００９４】
（第２の態様）
第２の態様では、ＲＲＣ再構成後からＭＡＣ  ＣＥアクティベーションまでの間の、ＰＵＣＣＨに対するデフォルトのＱＣＬについて検討する。
【００９５】
ＰＵＣＣＨに関して、空間関係（spatial  relation）が、ＴＣＩ状態に相当するとしてもよい。将来の無線通信システム（たとえば、Ｒｅｌ．１５）では、ＲＲＣのＰＵＣＣＨ設定情報（PUCCH-Config情報要素）に、所定の参照信号とＰＵＣＣＨとの間の空間関連情報を含めることができる。当該所定の参照信号は、同期信号ブロック（ＳＳＢ）、ＣＳＩ−ＲＳおよびサウンディング参照信号（Sounding  Reference  Signal（ＳＲＳ））の少なくとも１つである。
【００９６】
ユーザ端末は、同期信号ブロック（ＳＳＢ）またはＣＳＩ−ＲＳ、および、ＰＵＣＣＨに関する空間関係情報を設定される場合には、当該同期信号ブロック（ＳＳＢ）またはＣＳＩ−ＲＳの受信のための空間ドメインフィルタと同じ空間ドメインフィルタを使用してＰＵＣＣＨを送信してもよい。この場合、ユーザ端末は、同期信号ブロック（ＳＳＢ）またはＣＳＩ−ＲＳのＵＥ受信ビームと、ＰＵＣＣＨのＵＥ送信ビームとが同じであると想定してもよい。
【００９７】
たとえば、ＲＲＣ制御要素「PUCCH-SpatialRelationInfo」によるＲＲＣ再構成、もしくは、ビーム障害回復、無線リンク障害（Radio  Link  Failure（ＲＬＦ））またはハンドオーバの後であって、「PUCCH-SpatialRelationInfo」内の空間関係の１つのＭＡＣ  ＣＥアクティベーション前に、ユーザ端末はＰＵＣＣＨ送信のためのデフォルトの空間関係について、以下のように仮定すると想定してもよい。
【００９８】
ランダムアクセスチャネル（Physical  Random  Access  Channel（ＰＲＡＣＨ））の送信を伴う場合、ユーザ端末は、ＰＲＡＣＨまたはメッセージ３送信のための空間関係に従うと仮定してもよい。
【００９９】
ＰＲＡＣＨ送信を伴わない場合、ユーザ端末は、ＰＵＣＣＨリソースの空間関係を示す最新のＭＡＣ  ＣＥに従うと仮定してもよい。
【０１００】
あるいは、ＲＲＣ再構成とその後のＭＡＣ  ＣＥアクティベーションとの間のＰＵＣＣＨリソースのデフォルトの空間関係は、ＲＲＣ制御要素「PUCCH-SpatialRelationInfo」の最小エントリ、最小インデックス、所定番目のエントリ、または、所定番目のインデックスによって提供されると想定してもよい。
【０１０１】
これらを踏まえて、第２の態様に係るユーザ端末は、ＲＲＣ再構成後からＭＡＣ  ＣＥアクティベーションまでの間の、ＰＵＣＣＨに対するデフォルトの空間関係について、以下のように仮定すると想定してもよい。
【０１０２】
（オプション１）
オプション１において、ユーザ端末は、ＰＵＣＣＨのビームに関して、ＰＤＣＣＨと同様に想定してもよい。
【０１０３】
関連する（後続の）ランダムアクセス手順が存在するＲＲＣ再構成の場合、ユーザ端末は、ランダムアクセス手順の間に識別された同期信号ブロック（ＳＳＢ）またはＣＳＩ−ＲＳにより、ＰＵＣＣＨがＱＣＬであると仮定してもよい。
【０１０４】
関連するランダムアクセス手順が存在しないＲＲＣ再構成の場合、ユーザ端末は、ＲＲＣ制御要素「PUCCH-SpatialRelationInfoId」内の最小インデックスによって提供されるＱＣＬであると仮定してもよい。
【０１０５】
（オプション２）
オプション２において、ユーザ端末は、ＰＵＣＣＨのビームに関して、ＲＲＣ構成前のメカニズムを再利用してもよい。
【０１０６】
関連する（後続の）ランダムアクセス手順が存在するＲＲＣ再構成の場合、ユーザ端末は、ＲＲＣ構成前のビーム決定メカニズムを再利用すると仮定してもよい。
【０１０７】
関連するランダムアクセス手順が存在しないＲＲＣ再構成の場合、ユーザ端末は、ＲＲＣ制御要素「PUCCH-SpatialRelationInfoId」内の最小インデックスによって提供されるＱＣＬであると仮定してもよい。
【０１０８】
ＰＵＣＣＨ送信のための空間設定は、ユーザ端末がＲＲＣ制御要素（上位レイヤパラメータ）「PUCCH-SpatialRelationInfoId」のための単一の値で構成されている場合、ＲＲＣ制御要素（上位レイヤパラメータ）「PUCCH-SpatialRelationInfo」によって提供される。それ以外の場合、空間設定は、ＲＲＣ制御要素（上位レイヤパラメータ）「PUCCH-SpatialRelationInfoId」によって提供される複数の値のセットから、ＲＲＣ制御要素（上位レイヤパラメータ）「PUCCH-SpatialRelationInfo」によって提供される。
【０１０９】
第２の態様によれば、ビームを切り替えるためにＲＲＣ再構成する場合の、ＲＲＣ再構成手順後からＭＡＣ  ＣＥアクティベーションまでの間に、ユーザ端末が想定するＰＵＣＣＨに対する基地局ビーム（空間関係）について、明らかになった。
【０１１０】
（無線通信システム）
以下、本実施の形態に係る無線通信システムの構成について説明する。この無線通信システムでは、上記実施の形態に係る無線通信方法が適用される。
【０１１１】
図６は、本実施の形態に係る無線通信システムの概略構成の一例を示す図である。無線通信システム１では、ＬＴＥシステムのシステム帯域幅（たとえば、２０ＭＨｚ）を１単位とする複数の基本周波数ブロック（コンポーネントキャリア）を一体としたキャリアアグリゲーション（ＣＡ）またはデュアルコネクティビティ（ＤＣ）を適用することができる。無線通信システム１は、ＳＵＰＥＲ  ３Ｇ、ＬＴＥ−Ａ（ＬＴＥ−Ａｄｖａｎｃｅｄ）、ＩＭＴ−Ａｄｖａｎｃｅｄ、４Ｇ、５Ｇ、ＦＲＡ（Future  Radio  Access）、ＮＲ（New  Radio）などと呼ばれてもよい。
【０１１２】
無線通信システム１は、マクロセルＣ１を形成する基地局１１と、マクロセルＣ１内に配置され、マクロセルＣ１よりも狭いスモールセルＣ２を形成する基地局１２ａから１２ｃと、を備えている。マクロセルＣ１および各スモールセルＣ２には、ユーザ端末２０が配置されている。セル間で異なるニューメロロジーが適用される構成としてもよい。ニューメロロジーとは、あるＲＡＴにおける信号のデザインや、ＲＡＴのデザインを特徴付ける通信パラメータのセットのことをいう。
【０１１３】
ユーザ端末２０は、基地局１１および基地局１２の双方に接続することができる。ユーザ端末２０は、異なる周波数を用いるマクロセルＣ１とスモールセルＣ２を、キャリアアグリゲーション（ＣＡ）またはデュアルコネクティビティ（ＤＣ）により同時に使用することが想定される。ユーザ端末２０は、複数のセル（ＣＣ）（たとえば、２個以上のＣＣ）を用いてキャリアアグリゲーション（ＣＡ）またはデュアルコネクティビティ（ＤＣ）を適用することができる。ユーザ端末は、複数のセルとしてライセンスドバンドＣＣとアンライセンスドバンドＣＣを利用することができる。複数のセルのいずれかに短縮ＴＴＩを適用するＴＤＤキャリアが含まれる構成とすることができる。
【０１１４】
ユーザ端末２０と基地局１１との間は、相対的に低い周波数帯域（たとえば、２ＧＨｚ）で帯域幅が狭いキャリア（既存キャリア、Legacy  carrierなどと呼ばれる）を用いて通信を行うことができる。ユーザ端末２０と基地局１２との間は、相対的に高い周波数帯域（たとえば、３．５ＧＨｚ、５ＧＨｚ、３０から７０ＧＨｚなど）で帯域幅が広いキャリアが用いられてもよいし、基地局１１との間と同じキャリアが用いられてもよい。各基地局が利用する周波数帯域の構成はこれに限られない。
【０１１５】
基地局１１と基地局１２との間（または、２つの基地局１２の間）は、有線接続（たとえば、ＣＰＲＩ（Common  Public  Radio  Interface）に準拠した光ファイバ、Ｘ２インターフェースなど）または無線接続する構成とすることができる。
【０１１６】
基地局１１および各基地局１２は、それぞれ上位局装置３０に接続され、上位局装置３０を介してコアネットワーク４０に接続される。上位局装置３０には、たとえば、アクセスゲートウェイ装置、無線ネットワークコントローラ（ＲＮＣ）、モビリティマネジメントエンティティ（ＭＭＥ）などが含まれるが、これに限定されるものではない。各基地局１２は、基地局１１を介して上位局装置３０に接続されてもよい。
【０１１７】
基地局１１は、相対的に広いカバレッジを有する基地局であり、マクロ基地局、集約ノード、ｅＮＢ（eNodeB）、送受信ポイント、などと呼ばれてもよい。基地局１２は、局所的なカバレッジを有する基地局であり、スモール基地局、マイクロ基地局、ピコ基地局、フェムト基地局、ＨｅＮＢ（Home  eNodeB）、ＲＲＨ（Remote  Radio  Head）、送受信ポイントなどと呼ばれてもよい。以下、基地局１１および１２を区別しない場合は、基地局１０と総称する。
【０１１８】
各ユーザ端末２０は、ＬＴＥ、ＬＴＥ−Ａ等の各種通信方式に対応した端末であり、移動通信端末だけでなく固定通信端末を含んでもよい。
【０１１９】
無線通信システム１においては、無線アクセス方式として、下りリンク（ＤＬ）にＯＦＤＭＡ（直交周波数分割多元接続）が適用でき、上りリンク（ＵＬ）にＳＣ−ＦＤＭＡ（シングルキャリア−周波数分割多元接続）が適用できる。ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末ごとに１つまたは連続したリソースブロックからなる帯域に分割し、複数の端末が互いに異なる帯域を用いることで、端末間の干渉を低減するシングルキャリア伝送方式である。上りおよび下りの無線アクセス方式は、これらの組み合わせに限られず、ＵＬでＯＦＤＭＡが用いられてもよい。
【０１２０】
無線通信システム１では、ＤＬチャネルとして、各ユーザ端末２０で共有される下りデータチャネル（Physical  Downlink  Shared  Channel（ＰＤＳＣＨ）、下り共有チャネル等ともいう）、ブロードキャストチャネル（Physical  Broadcast  Channel（ＰＢＣＨ））、Ｌ１／Ｌ２制御チャネルなどが用いられる。ＰＤＳＣＨにより、ユーザデータや上位レイヤ制御情報、ＳＩＢ（System  Information  Block）などが伝送される。ＰＢＣＨにより、ＭＩＢ（Master  Information  Block）が伝送される。
【０１２１】
Ｌ１／Ｌ２制御チャネルは、下り制御チャネル（Physical  Downlink  Control  Channel（ＰＤＣＣＨ）、Enhanced  Physical  Downlink  Control  Channel（ＥＰＤＣＣＨ））、ＰＣＦＩＣＨ（Physical  Control  Format  Indicator  Channel）、ＰＨＩＣＨ（Physical  Hybrid-ARQ  Indicator  Channel）などを含む。ＰＤＣＣＨにより、ＰＤＳＣＨおよびＰＵＳＣＨのスケジューリング情報を含む下り制御情報（Downlink  Control  Information（ＤＣＩ））などが伝送される。ＰＣＦＩＣＨにより、ＰＤＣＣＨに用いるＯＦＤＭシンボル数が伝送される。ＰＨＩＣＨにより、ＰＵＳＣＨに対するＨＡＲＱの送達確認情報（ＡＣＫ／ＮＡＣＫ）が伝送される。ＥＰＤＣＣＨは、ＰＤＳＣＨ（下り共有データチャネル）と周波数分割多重され、ＰＤＣＣＨと同様にＤＣＩ等の伝送に用いられる。
【０１２２】
無線通信システム１では、ＵＬチャネルとして、各ユーザ端末２０で共有される上りデータチャネル（Physical  Uplink  Shared  Channel（ＰＵＳＣＨ）、上り共有チャネル等ともいう）、上り制御チャネル（Physical  Uplink  Control  Channel（ＰＵＣＣＨ））、ランダムアクセスチャネル（Physical  Random  Access  Channel（ＰＲＡＣＨ））などが用いられる。ＰＵＳＣＨにより、ユーザデータ、上位レイヤ制御情報が伝送される。送達確認情報（ＡＣＫ／ＮＡＣＫ）や無線品質情報（ＣＱＩ）などの少なくとも１つを含む上り制御情報（Uplink  Control  Information（ＵＣＩ））は、ＰＵＳＣＨまたはＰＵＣＣＨにより、伝送される。ＰＲＡＣＨにより、セルとの接続確立のためのランダムアクセスプリアンブルが伝送される。
【０１２３】
＜基地局＞
図７は、本実施の形態に係る基地局の全体構成の一例を示す図である。基地局１０は、複数の送受信アンテナ１０１と、アンプ部１０２と、送受信部１０３と、ベースバンド信号処理部１０４と、呼処理部１０５と、伝送路インターフェース１０６と、を備えている。送受信アンテナ１０１、アンプ部１０２、送受信部１０３は、それぞれ１つ以上を含むように構成されればよい。基地局１０は、下りデータの送信装置であり、上りデータの受信装置であってもよい。
【０１２４】
基地局１０からユーザ端末２０に送信される下りデータは、上位局装置３０から伝送路インターフェース１０６を介してベースバンド信号処理部１０４に入力される。
【０１２５】
ベースバンド信号処理部１０４では、下りデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（たとえば、ＨＡＲＱの送信処理）、スケジューリング、伝送フォーマット選択、チャネル符号化、逆高速フーリエ変換（Inverse  Fast  Fourier  Transform（ＩＦＦＴ））処理、プリコーディング処理などの送信処理が行われて送受信部１０３に転送される。下り制御信号に関しても、チャネル符号化や逆高速フーリエ変換などの送信処理が行われて、送受信部１０３に転送される。
【０１２６】
送受信部１０３は、ベースバンド信号処理部１０４からアンテナごとにプリコーディングして出力されたベースバンド信号を無線周波数帯に変換して送信する。送受信部１０３で周波数変換された無線周波数信号は、アンプ部１０２により増幅され、送受信アンテナ１０１から送信される。送受信部１０３は、本発明に係る技術分野での共通認識に基づいて説明されるトランスミッター／レシーバー、送受信回路または送受信装置から構成することができる。送受信部１０３は、一体の送受信部として構成されてもよいし、送信部および受信部から構成されてもよい。
【０１２７】
上り信号については、送受信アンテナ１０１で受信された無線周波数信号がアンプ部１０２で増幅される。送受信部１０３は、アンプ部１０２で増幅された上り信号を受信する。送受信部１０３は、受信信号をベースバンド信号に周波数変換して、ベースバンド信号処理部１０４に出力する。
【０１２８】
ベースバンド信号処理部１０４では、入力された上り信号に含まれるユーザデータに対して、高速フーリエ変換（Fast  Fourier  Transform（ＦＦＴ））処理、逆離散フーリエ変換（Inverse  Discrete  Fourier  Transform（ＩＤＦＴ））処理、誤り訂正復号、ＭＡＣ再送制御の受信処理、ＲＬＣレイヤおよびＰＤＣＰレイヤの受信処理がなされ、伝送路インターフェース１０６を介して上位局装置３０に転送される。呼処理部１０５は、通信チャネルの設定や解放などの呼処理、基地局１０の状態管理、および、無線リソースの管理を行う。
【０１２９】
伝送路インターフェース１０６は、所定のインターフェースを介して、上位局装置３０と信号を送受信する。伝送路インターフェース１０６は、基地局間インターフェース（たとえば、ＣＰＲＩ（Common  Public  Radio  Interface）に準拠した光ファイバ、Ｘ２インターフェース）を介して他の基地局１０と信号を送受信（バックホールシグナリング）してもよい。
【０１３０】
送受信部１０３は、アナログビームフォーミングを実施するアナログビームフォーミング部をさらに有してもよい。アナログビームフォーミング部は、本発明に係る技術分野での共通認識に基づいて説明されるアナログビームフォーミング回路（たとえば、位相シフタ、位相シフト回路）またはアナログビームフォーミング装置（たとえば、位相シフト器）から構成することができる。送受信アンテナ１０１は、たとえばアレーアンテナにより構成することができる。送受信部１０３は、シングルＢＦ、マルチＢＦを適用できるように構成されている。
【０１３１】
送受信部１０３は、送信ビームを用いて信号を送信してもよいし、受信ビームを用いて信号を受信してもよい。送受信部１０３は、制御部３０１によって決定された所定のビームを用いて信号を送信および受信してもよい。
【０１３２】
送受信部１０３は、下り信号（たとえば、下り制御信号（下り制御チャネル）、下りデータ信号（下りデータチャネル、下り共有チャネル）、下り参照信号（ＤＭ−ＲＳ、ＣＳＩ−ＲＳ等）、ディスカバリ信号、同期信号、ブロードキャスト信号など）を送信する。送受信部１０３は、上り信号（たとえば、上り制御信号（上り制御チャネル）、上りデータ信号（上りデータチャネル、上り共有チャネル）、上り参照信号など）を受信する。
【０１３３】
送受信部１０３は、ユーザ端末２０に対して、ＵＥ固有ＰＤＣＣＨ用ＴＣＩ状態指示ＭＡＣ  ＣＥを含むＰＤＳＣＨを送信してもよい。送受信部１０３は、当該ＰＤＳＣＨを受信したユーザ端末２０が送信する、ＨＡＲＱ−ＡＣＫを受信してもよい。
【０１３４】
本発明の送信部および受信部は、送受信部１０３と伝送路インターフェース１０６の両方、またはいずれか一方により構成される。
【０１３５】
図８は、本実施の形態に係る基地局の機能構成の一例を示す図である。この図では、本実施形態における特徴部分の機能ブロックを主に示しており、基地局１０は、無線通信に必要な他の機能ブロックも有しているものとする。ベースバンド信号処理部１０４は、制御部３０１と、送信信号生成部３０２と、マッピング部３０３と、受信信号処理部３０４と、測定部３０５と、を少なくとも備えている。
【０１３６】
制御部３０１は、基地局１０全体の制御を実施する。制御部３０１は、本発明に係る技術分野での共通認識に基づいて説明されるコントローラ、制御回路または制御装置から構成することができる。
【０１３７】
制御部３０１は、たとえば、送信信号生成部３０２による信号の生成や、マッピング部３０３による信号の割り当てを制御する。制御部３０１は、受信信号処理部３０４による信号の受信処理や、測定部３０５による信号の測定を制御する。
【０１３８】
制御部３０１は、下り信号および上り信号のスケジューリング（たとえば、リソース割り当て）を制御する。具体的には、制御部３０１は、下りデータチャネルのスケジューリング情報を含むＤＣＩ（ＤＬアサインメント、ＤＬグラント）、上りデータチャネルのスケジューリング情報を含むＤＣＩ（ＵＬグラント）を生成および送信するように、送信信号生成部３０２、マッピング部３０３および送受信部１０３を制御する。
【０１３９】
制御部３０１は、あるユーザ端末２０のＰＤＣＣＨ用ＴＣＩ状態を切り替えることを決定してもよい。制御部３０１は、ビームを切り替えるためにＲＲＣ再構成手順を開始してもよい。当該ＲＲＣ再構成手順が完了すると、制御部３０１は、ユーザ端末２０に対して、切り替え後の新しいＴＣＩ状態に従うＰＤＣＣＨを送信するよう制御してもよい。
【０１４０】
送信信号生成部３０２は、制御部３０１からの指示に基づいて、下り信号（下り制御チャネル、下りデータチャネル、ＤＭ−ＲＳ等の下り参照信号など）を生成して、マッピング部３０３に出力する。送信信号生成部３０２は、本発明に係る技術分野での共通認識に基づいて説明される信号生成器、信号生成回路または信号生成装置から構成することができる。
【０１４１】
マッピング部３０３は、制御部３０１からの指示に基づいて、送信信号生成部３０２で生成された下り信号を、所定の無線リソースにマッピングして、送受信部１０３に出力する。マッピング部３０３は、本発明に係る技術分野での共通認識に基づいて説明されるマッパー、マッピング回路またはマッピング装置から構成することができる。
【０１４２】
受信信号処理部３０４は、送受信部１０３から入力された受信信号に対して、受信処理（たとえば、デマッピング、復調、復号など）を行う。たとえば、受信信号は、ユーザ端末２０から送信される上り信号（上り制御チャネル、上りデータチャネル、上り参照信号など）である。受信信号処理部３０４は、本発明に係る技術分野での共通認識に基づいて説明される信号処理器、信号処理回路または信号処理装置から構成することができる。
【０１４３】
受信信号処理部３０４は、受信処理により復号された情報を制御部３０１に出力する。たとえば、受信処理部３０４は、プリアンブル、制御情報、ＵＬデータの少なくとも１つを制御部３０１に出力する。また、受信信号処理部３０４は、受信信号および受信処理後の信号を、測定部３０５に出力する。
【０１４４】
測定部３０５は、受信した信号に関する測定を実施する。測定部３０５は、本発明に係る技術分野での共通認識に基づいて説明される測定器、測定回路または測定装置から構成することができる。
【０１４５】
測定部３０５は、たとえば、受信した信号の受信電力（たとえば、Reference  Signal  Received  Power（ＲＳＲＰ））、受信品質（たとえば、Reference  Signal  Received  Quality（ＲＳＲＱ））やチャネル状態等について測定してもよい。測定結果は、制御部３０１に出力されてもよい。
【０１４６】
＜ユーザ端末＞
図９は、本実施の形態に係るユーザ端末の全体構成の一例を示す図である。ユーザ端末２０は、複数の送受信アンテナ２０１と、アンプ部２０２と、送受信部２０３と、ベースバンド信号処理部２０４と、アプリケーション部２０５と、を備えている。送受信アンテナ２０１、アンプ部２０２、送受信部２０３は、それぞれ１つ以上を含むように構成されればよい。ユーザ端末２０は、下りデータの受信装置であり、上りデータの送信装置であってもよい。
【０１４７】
送受信アンテナ２０１で受信された無線周波数信号は、アンプ部２０２で増幅される。送受信部２０３は、アンプ部２０２で増幅された下り信号を受信する。送受信部２０３は、受信信号をベースバンド信号に周波数変換して、ベースバンド信号処理部２０４に出力する。送受信部２０３は、本発明に係る技術分野での共通認識に基づいて説明されるトランスミッター／レシーバー、送受信回路または送受信装置から構成することができる。送受信部２０３は、一体の送受信部として構成されてもよいし、送信部および受信部から構成されてもよい。
【０１４８】
ベースバンド信号処理部２０４は、入力されたベースバンド信号に対して、ＦＦＴ処理や、誤り訂正復号、再送制御の受信処理などを行う。下りデータは、アプリケーション部２０５に転送される。アプリケーション部２０５は、物理レイヤやＭＡＣレイヤより上位のレイヤに関する処理などを行う。下りデータのうち、システム情報や上位レイヤ制御情報もアプリケーション部２０５に転送される。
【０１４９】
上りリンクのユーザデータは、アプリケーション部２０５からベースバンド信号処理部２０４に入力される。ベースバンド信号処理部２０４では、再送制御の送信処理（たとえば、ＨＡＲＱの送信処理）や、チャネル符号化、プリコーディング、離散フーリエ変換（Discrete  Fourier  Transform（ＤＦＴ））処理、ＩＦＦＴ処理などが行われて送受信部２０３に転送される。送受信部２０３は、ベースバンド信号処理部２０４から出力されたベースバンド信号を無線周波数帯に変換して送信する。送受信部２０３で周波数変換された無線周波数信号は、アンプ部２０２により増幅され、送受信アンテナ２０１から送信される。
【０１５０】
送受信部２０３は、アナログビームフォーミングを実施するアナログビームフォーミング部をさらに有してもよい。アナログビームフォーミング部は、本発明に係る技術分野での共通認識に基づいて説明されるアナログビームフォーミング回路（たとえば、位相シフタ、位相シフト回路）またはアナログビームフォーミング装置（たとえば、位相シフト器）から構成することができる。送受信アンテナ２０１は、たとえばアレーアンテナにより構成することができる。送受信部２０３は、シングルＢＦ、マルチＢＦを適用できるように構成されている。
【０１５１】
送受信部２０３は、送信ビームを用いて信号を送信してもよいし、受信ビームを用いて信号を受信してもよい。送受信部２０３は、制御部４０１によって決定された所定のビームを用いて信号を送信および受信してもよい。
【０１５２】
送受信部２０３は、下り信号（たとえば、下り制御信号（下り制御チャネル）、下りデータ信号（下りデータチャネル、下り共有チャネル）、下り参照信号（ＤＭ−ＲＳ、ＣＳＩ−ＲＳ等）、ディスカバリ信号、同期信号、報知信号など）を受信する。送受信部２０３は、上り信号（たとえば、上り制御信号（上り制御チャネル）、上りデータ信号（上りデータチャネル、上り共有チャネル）、上り参照信号など）を送信する。
【０１５３】
送受信部２０３は、ＲＲＣ再構成メッセージを受信し、ＲＲＣ再構成完了メッセージを送信してもよい。送受信部２０３は、当該ＲＲＣ再構成完了メッセージ送信後に、ＰＤＣＣＨを受信してもよい。
【０１５４】
図１０は、本実施の形態に係るユーザ端末の機能構成の一例を示す図である。この図では、本実施の形態における特徴部分の機能ブロックを主に示しており、ユーザ端末２０は、無線通信に必要な他の機能ブロックも有しているものとする。ユーザ端末２０が有するベースバンド信号処理部２０４は、制御部４０１と、送信信号生成部４０２と、マッピング部４０３と、受信信号処理部４０４と、測定部４０５と、を少なくとも備えている。
【０１５５】
制御部４０１は、ユーザ端末２０全体の制御を実施する。制御部４０１は、本発明に係る技術分野での共通認識に基づいて説明されるコントローラ、制御回路または制御装置から構成することができる。
【０１５６】
制御部４０１は、たとえば、送信信号生成部４０２による信号の生成や、マッピング部４０３による信号の割り当てを制御する。制御部４０１は、受信信号処理部４０４による信号の受信処理や、測定部４０５による信号の測定を制御する。
【０１５７】
制御部４０１は、ＲＲＣ再構成がランダムアクセス手順を伴う場合、当該ランダムアクセス手順において識別された同期信号ブロックまたはチャネル状態情報参照信号と、ＰＤＣＣＨがＱＣＬであると想定してもよい。制御部４０１は、ＲＲＣ再構成がランダムアクセス手順を伴わない場合、当該ＲＲＣ再構成で通知された制御要素内の所定のビームと、ＰＤＣＣＨがＱＣＬであると想定してもよい。制御部４０１は、当該所定のビームが、ＲＲＣ制御要素「TCI-StatesPDCCH」の最小ＩＤによって提供されるＴＣＩ状態を有すると想定してもよい。
【０１５８】
制御部４０１は、ＲＲＣ再構成がランダムアクセス手順を伴う場合、当該ランダムアクセス手順において識別された同期信号ブロックまたはチャネル状態情報参照信号と、ＰＵＣＣＨがＱＣＬであると想定してもよい。制御部４０１は、ＲＲＣ再構成がランダムアクセス手順を伴う場合、当該ＲＲＣ再構成前のビーム決定メカニズムを再利用してＰＵＣＣＨを送信するビームを決定してもよい。
【０１５９】
送信信号生成部４０２は、制御部４０１からの指示に基づいて、上り信号（上り制御チャネル、上りデータチャネル、上り参照信号など）を生成して、マッピング部４０３に出力する。送信信号生成部４０２は、本発明に係る技術分野での共通認識に基づいて説明される信号生成器、信号生成回路または信号生成装置から構成することができる。
【０１６０】
送信信号生成部４０２は、制御部４０１からの指示に基づいて上りデータチャネルを生成する。たとえば、送信信号生成部４０２は、基地局１０から通知される下り制御チャネルにＵＬグラントが含まれている場合に、制御部４０１から上りデータチャネルの生成を指示される。
【０１６１】
マッピング部４０３は、制御部４０１からの指示に基づいて、送信信号生成部４０２で生成された上り信号を無線リソースにマッピングして、送受信部２０３へ出力する。マッピング部４０３は、本発明に係る技術分野での共通認識に基づいて説明されるマッパー、マッピング回路またはマッピング装置から構成することができる。
【０１６２】
受信信号処理部４０４は、送受信部２０３から入力された受信信号に対して、受信処理（たとえば、デマッピング、復調、復号など）を行う。たとえば、受信信号は、基地局１０から送信される下り信号（下り制御チャネル、下りデータチャネル、下り参照信号など）である。受信信号処理部４０４は、本発明に係る技術分野での共通認識に基づいて説明される信号処理器、信号処理回路または信号処理装置から構成することができる。受信信号処理部４０４は、本発明に係る受信部を構成することができる。
【０１６３】
受信信号処理部４０４は、制御部４０１の指示に基づいて、下りデータチャネルの送信および受信をスケジューリングする下り制御チャネルをブラインド復号し、当該ＤＣＩに基づいて下りデータチャネルの受信処理を行う。受信信号処理部４０４は、ＤＭ−ＲＳまたはＣＲＳに基づいてチャネル利得を推定し、推定されたチャネル利得に基づいて、下りデータチャネルを復調する。
【０１６４】
受信信号処理部４０４は、受信処理により復号された情報を制御部４０１に出力する。受信信号処理部４０４は、たとえば、報知情報、システム情報、ＲＲＣシグナリング、ＤＣＩなどを、制御部４０１に出力する。受信信号処理部４０４は、データの復号結果を制御部４０１に出力してもよい。受信信号処理部４０４は、受信信号や、受信処理後の信号を、測定部４０５に出力する。
【０１６５】
測定部４０５は、受信した信号に関する測定を実施する。測定部４０５は、本発明に係る技術分野での共通認識に基づいて説明される測定器、測定回路または測定装置から構成することができる。
【０１６６】
測定部４０５は、たとえば、受信した信号の受信電力（たとえば、ＲＳＲＰ）、ＤＬ受信品質（たとえば、ＲＳＲＱ）やチャネル状態などについて測定してもよい。測定結果は、制御部４０１に出力されてもよい。
【０１６７】
（ハードウェア構成）
上記実施形態の説明に用いたブロック図は、機能単位のブロックを示している。これらの機能ブロック（構成部）は、ハードウェアおよびソフトウェアの少なくとも一方の任意の組み合わせによって実現される。各機能ブロックの実現方法は特に限定されない。すなわち、各機能ブロックは、物理的または論理的に結合した１つの装置を用いて実現されてもよいし、物理的または論理的に分離した２つ以上の装置を直接的または間接的に（たとえば、有線、無線などを用いて）接続し、これら複数の装置を用いて実現されてもよい。機能ブロックは、上記１つの装置または上記複数の装置にソフトウェアを組み合わせて実現されてもよい。
【０１６８】
ここで、機能には、判断、決定、判定、計算、算出、処理、導出、調査、探索、確認、受信、送信、出力、アクセス、解決、選択、選定、確立、比較、想定、期待、みなし、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。たとえば、送信を機能させる機能ブロック（構成部）は、送信部（transmitting  unit）、送信機（transmitter）などと呼称されてもよい。いずれも、上述したとおり、実現方法は特に限定されない。
【０１６９】
たとえば、本開示の一実施形態における基地局、ユーザ端末などは、本開示の無線通信方法の処理を行うコンピュータとして機能してもよい。図１１は、一実施形態に係る基地局およびユーザ端末のハードウェア構成の一例を示す図である。上述の基地局１０およびユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１７０】
以下の説明では、「装置」という文言は、回路、デバイス、ユニットなどに読み替えることができる。基地局１０およびユーザ端末２０のハードウェア構成は、図に示した各装置を１つまたは複数含むように構成されてもよいし、一部の装置を含まずに構成されてもよい。
【０１７１】
たとえば、プロセッサ１００１は１つだけ図示されているが、複数のプロセッサがあってもよい。処理は、１のプロセッサによって実行されてもよいし、処理が同時に、逐次に、またはその他の手法を用いて、２以上のプロセッサによって実行されてもよい。プロセッサ１００１は、１以上のチップによって実装されてもよい。
【０１７２】
基地局１０およびユーザ端末２０における各機能は、たとえば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２およびストレージ１００３におけるデータの読み出しおよび書き込みの少なくとも一方を制御したりすることによって実現される。
【０１７３】
プロセッサ１００１は、たとえば、オペレーティングシステムを動作させてコンピュータ全体を制御する。プロセッサ１００１は、周辺装置とのインターフェース、制御装置、演算装置、レジスタなどを含む中央処理装置（Central  Processing  Unit（ＣＰＵ））によって構成されてもよい。たとえば、上述のベースバンド信号処理部１０４（２０４）、呼処理部１０５などは、プロセッサ１００１によって実現されてもよい。
【０１７４】
プロセッサ１００１は、プログラム（プログラムコード）、ソフトウェアモジュール、データなどを、ストレージ１００３および通信装置１００４の少なくとも一方からメモリ１００２に読み出し、これらに従って各種の処理を実行する。プログラムとしては、上述の実施形態において説明した動作の少なくとも一部をコンピュータに実行させるプログラムが用いられる。たとえば、ユーザ端末２０の制御部４０１は、メモリ１００２に格納され、プロセッサ１００１において動作する制御プログラムによって実現されてもよく、他の機能ブロックについても同様に実現されてもよい。
【０１７５】
メモリ１００２は、コンピュータ読み取り可能な記録媒体であり、たとえば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本開示の一実施形態に係る無線通信方法を実施するために実行可能なプログラム（プログラムコード）、ソフトウェアモジュールなどを保存することができる。
【０１７６】
ストレージ１００３は、コンピュータ読み取り可能な記録媒体であり、たとえば、フレキシブルディスク、フロッピー（登録商標）ディスク、光磁気ディスク（たとえば、コンパクトディスク（Compact  Disc  ROM（ＣＤ−ＲＯＭ）など）、デジタル多用途ディスク、Ｂｌｕ−ｒａｙ（登録商標）ディスク）、リムーバブルディスク、ハードディスクドライブ、スマートカード、フラッシュメモリデバイス（たとえば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０１７７】
通信装置１００４は、有線ネットワークおよび無線ネットワークの少なくとも一方を介してコンピュータ間の通信を行うためのハードウェア（送受信デバイス）であり、たとえばネットワークデバイス、ネットワークコントローラ、ネットワークカード、通信モジュールなどともいう。通信装置１００４は、たとえば周波数分割複信（Frequency  Division  Duplex（ＦＤＤ））および時分割複信（Time  Division  Duplex（ＴＤＤ））の少なくとも一方を実現するために、高周波スイッチ、デュプレクサ、フィルタ、周波数シンセサイザなどを含んで構成されてもよい。たとえば、上述の送受信アンテナ１０１（２０１）、アンプ部１０２（２０２）、送受信部１０３（２０３）、伝送路インターフェース１０６などは、通信装置１００４によって実現されてもよい。送受信部１０３は、送信部１０３ａと受信部１０３ｂとで、物理的にまたは論理的に分離された実装がなされてもよい。
【０１７８】
入力装置１００５は、外部からの入力を受け付ける入力デバイス（たとえば、キーボード、マウス、マイクロフォン、スイッチ、ボタン、センサなど）である。出力装置１００６は、外部への出力を実施する出力デバイス（たとえば、ディスプレイ、スピーカー、Light  Emitting  Diode（ＬＥＤ）ランプなど）である。入力装置１００５および出力装置１００６は、一体となった構成（たとえば、タッチパネル）であってもよい。
【０１７９】
プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０１８０】
基地局１０およびユーザ端末２０は、マイクロプロセッサ、デジタル信号プロセッサ（Digital  Signal  Processor（ＤＳＰ））、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアを用いて各機能ブロックの一部または全てが実現されてもよい。たとえば、プロセッサ１００１は、これらのハードウェアの少なくとも１つを用いて実装されてもよい。
【０１８１】
（変形例）
本開示において説明した用語および本開示の理解に必要な用語については、同一のまたは類似する意味を有する用語と置き換えてもよい。たとえば、チャネルおよびシンボルの少なくとも一方は信号（シグナリング）であってもよい。信号はメッセージであってもよい。参照信号は、ＲＳ（Reference  Signal）と略称することもでき、適用される標準によってパイロット（Pilot）、パイロット信号などと呼ばれてもよい。コンポーネントキャリア（Component  Carrier（ＣＣ））は、セル、周波数キャリア、キャリア周波数などと呼ばれてもよい。
【０１８２】
無線フレームは、時間領域において１つまたは複数の期間（フレーム）によって構成されてもよい。無線フレームを構成する当該１つまたは複数の各期間（フレーム）は、サブフレームと呼ばれてもよい。さらに、サブフレームは、時間領域において１つまたは複数のスロットによって構成されてもよい。サブフレームは、ニューメロロジー（numerology）に依存しない固定の時間長（たとえば、１ｍｓ）であってもよい。
【０１８３】
ここで、ニューメロロジーとは、ある信号またはチャネルの送信および受信の少なくとも一方に適用される通信パラメータであってもよい。たとえば、サブキャリア間隔（Subcarrier  Spacing（ＳＣＳ））、帯域幅、シンボル長、サイクリックプレフィックス長、送信時間間隔（Transmission  Time  Interval（ＴＴＩ））、ＴＴＩあたりのシンボル数、無線フレーム構成、送受信機が周波数領域において行う特定のフィルタリング処理、送受信機が時間領域において行う特定のウィンドウイング処理などの少なくとも１つを示してもよい。
【０１８４】
スロットは、時間領域において１つまたは複数のシンボル、たとえば、Orthogonal  Frequency  Division  Multiplexing（ＯＦＤＭ）シンボル、Single  Carrier  Frequency  Division  Multiple  Access（ＳＣ−ＦＤＭＡ）シンボルなどによって構成されてもよい。スロットは、ニューメロロジーに基づく時間単位であってもよい。
【０１８５】
スロットは、複数のミニスロットを含んでもよい。各ミニスロットは、時間領域において１つまたは複数のシンボルによって構成されてもよい。ミニスロットは、サブスロットと呼ばれてもよい。ミニスロットは、スロットよりも少ない数のシンボルによって構成されてもよい。ミニスロットより大きい時間単位で送信されるＰＤＳＣＨ（またはＰＵＳＣＨ）は、ＰＤＳＣＨ（ＰＵＳＣＨ）マッピングタイプＡと呼ばれてもよい。ミニスロットを用いて送信されるＰＤＳＣＨ（またはＰＵＳＣＨ）は、ＰＤＳＣＨ（ＰＵＳＣＨ）マッピングタイプＢと呼ばれてもよい。
【０１８６】
無線フレーム、サブフレーム、スロット、ミニスロットおよびシンボルは、いずれも信号を伝送する際の時間単位を表す。無線フレーム、サブフレーム、スロット、ミニスロットおよびシンボルは、それぞれに対応する別の呼称が用いられてもよい。
【０１８７】
たとえば、１サブフレームは送信時間間隔（Transmission  Time  Interval（ＴＴＩ））と呼ばれてもよいし、複数の連続したサブフレームがＴＴＩと呼ばれてよいし、１スロットまたは１ミニスロットがＴＴＩと呼ばれてもよい。つまり、サブフレームおよびＴＴＩの少なくとも一方は、既存のＬＴＥにおけるサブフレーム（１ｍｓ）であってもよいし、１ｍｓより短い期間（たとえば、１−１３シンボル）であってもよいし、１ｍｓより長い期間であってもよい。ＴＴＩを表す単位は、サブフレームではなくスロット、ミニスロットなどと呼ばれてもよい。
【０１８８】
ここで、ＴＴＩは、たとえば、無線通信におけるスケジューリングの最小時間単位のことをいう。たとえば、ＬＴＥシステムでは、基地局が各ユーザ端末に対して、無線リソース（各ユーザ端末において使用することが可能な周波数帯域幅、送信電力など）を、ＴＴＩ単位で割り当てるスケジューリングを行う。ＴＴＩの定義はこれに限られない。
【０１８９】
ＴＴＩは、チャネル符号化されたデータパケット（トランスポートブロック）、コードブロック、コードワードなどの送信時間単位であってもよいし、スケジューリング、リンクアダプテーションなどの処理単位となってもよい。ＴＴＩが与えられたとき、実際にトランスポートブロック、コードブロック、コードワードなどがマッピングされる時間区間（たとえば、シンボル数）は、当該ＴＴＩよりも短くてもよい。
【０１９０】
１スロットまたは１ミニスロットがＴＴＩと呼ばれる場合、１以上のＴＴＩ（すなわち、１以上のスロットまたは１以上のミニスロット）が、スケジューリングの最小時間単位となってもよい。当該スケジューリングの最小時間単位を構成するスロット数（ミニスロット数）は制御されてもよい。
【０１９１】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、ロングサブフレーム、スロットなどと呼ばれてもよい。通常ＴＴＩより短いＴＴＩは、短縮ＴＴＩ、ショートＴＴＩ、部分ＴＴＩ（partialまたはfractional  TTI）、短縮サブフレーム、ショートサブフレーム、ミニスロット、サブスロット、スロットなどと呼ばれてもよい。
【０１９２】
ロングＴＴＩ（たとえば、通常ＴＴＩ、サブフレームなど）は、１ｍｓを超える時間長を有するＴＴＩで読み替えてもよいし、ショートＴＴＩ（たとえば、短縮ＴＴＩなど）は、ロングＴＴＩのＴＴＩ長未満かつ１ｍｓ以上のＴＴＩ長を有するＴＴＩで読み替えてもよい。
【０１９３】
リソースブロック（Resource  Block（ＲＢ））は、時間領域および周波数領域のリソース割当単位であり、周波数領域において、１つまたは複数個の連続した副搬送波（サブキャリア（subcarrier））を含んでもよい。
【０１９４】
リソースブロック（ＲＢ）は、時間領域において、１つまたは複数個のシンボルを含んでもよく、１スロット、１ミニスロット、１サブフレームまたは１ＴＴＩの長さであってもよい。１ＴＴＩ、１サブフレームは、それぞれ１つまたは複数のリソースブロックによって構成されてもよい。
【０１９５】
１つまたは複数のリソースブロック（ＲＢ）は、物理リソースブロック（Physical  RB（ＰＲＢ））、サブキャリアグループ（Sub-Carrier  Group（ＳＣＧ））、リソースエレメントグループ（Resource  Element  Group（ＲＥＧ））、ＰＲＢペア、ＲＢペアなどと呼ばれてもよい。
【０１９６】
リソースブロックは、１つまたは複数のリソースエレメント（Resource  Element（ＲＥ））によって構成されてもよい。たとえば、１ＲＥは、１サブキャリアおよび１シンボルの無線リソース領域であってもよい。
【０１９７】
上述した無線フレーム、サブフレーム、スロット、ミニスロットおよびシンボルなどの構造は例示に過ぎない。たとえば、無線フレームに含まれるサブフレームの数、サブフレームまたは無線フレームあたりのスロットの数、スロット内に含まれるミニスロットの数、スロットまたはミニスロットに含まれるシンボルおよびリソースブロック（ＲＢ）の数、リソースブロック（ＲＢ）に含まれるサブキャリアの数、ならびにＴＴＩ内のシンボル数、シンボル長、サイクリックプレフィックス（Cyclic  Prefix（ＣＰ））長などの構成は、さまざまに変更することができる。
【０１９８】
本開示において説明した情報、パラメータなどは、絶対値を用いて表されてもよいし、所定の値からの相対値を用いて表されてもよいし、対応する別の情報を用いて表されてもよい。たとえば、無線リソースは、所定のインデックスによって指示されてもよい。
【０１９９】
本開示においてパラメータなどに使用する名称は、いかなる点においても限定的な名称ではない。さらに、これらのパラメータを使用する数式などは、本開示において明示的に開示したものと異なってもよい。様々なチャネル、たとえば、Physical  Uplink  Control  Channel（ＰＵＣＣＨ）、Physical  Downlink  Control  Channel（ＰＤＣＣＨ）などおよび情報要素は、あらゆる好適な名称によって識別できるので、これらの様々なチャネルおよび情報要素に割り当てている様々な名称は、いかなる点においても限定的な名称ではない。
【０２００】
本開示において説明した情報、信号などは、様々な異なる技術のいずれかを使用して表されてもよい。たとえば、上記の説明全体に渡って言及され得るデータ、命令、コマンド、情報、信号、ビット、シンボル、チップなどは、電圧、電流、電磁波、磁界もしくは磁性粒子、光場もしくは光子、またはこれらの任意の組み合わせによって表されてもよい。
【０２０１】
情報、信号などは、上位レイヤから下位レイヤおよび下位レイヤから上位レイヤの少なくとも一方へ出力され得る。情報、信号などは、複数のネットワークノードを介して入出力されてもよい。
【０２０２】
入出力された情報、信号などは、特定の場所（たとえば、メモリ）に保存されてもよいし、管理テーブルを用いて管理してもよい。入出力される情報、信号などは、上書き、更新または追記をされ得る。出力された情報、信号などは、削除されてもよい。入力された情報、信号などは、他の装置へ送信されてもよい。
【０２０３】
情報の通知は、本開示において説明した態様／実施形態に限られず、他の方法を用いて行われてもよい。たとえば、情報の通知は、物理レイヤシグナリング（たとえば、下り制御情報（Downlink  Control  Information（ＤＣＩ））、上り制御情報（Uplink  Control  Information（ＵＣＩ）））、上位レイヤシグナリング（たとえば、Radio  Resource  Control（ＲＲＣ）シグナリング、ブロードキャスト情報（マスタ情報ブロック（Master  Information  Block（ＭＩＢ））、システム情報ブロック（System  Information  Block（ＳＩＢ））など）、ＭＡＣ（Medium  Access  Control）シグナリング）、その他の信号またはこれらの組み合わせによって実施されてもよい。
【０２０４】
物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。ＲＲＣシグナリングは、ＲＲＣメッセージと呼ばれてもよく、たとえば、ＲＲＣ接続セットアップ（RRCConnectionSetup）メッセージ、ＲＲＣ接続再構成（RRCConnectionReconfiguration）メッセージなどであってもよい。ＭＡＣシグナリングは、たとえば、ＭＡＣ制御要素（MAC  Control  Element（ＭＡＣ  ＣＥ））を用いて通知されてもよい。
【０２０５】
所定の情報の通知（たとえば、「Ｘであること」の通知）は、明示的な通知に限られず、暗示的に（たとえば、当該所定の情報の通知を行わないことによってまたは別の情報の通知によって）行われてもよい。
【０２０６】
判定は、１ビットで表される値（０か１か）によって行われてもよいし、真（true）または偽（false）で表される真偽値（boolean）によって行われてもよいし、数値の比較（たとえば、所定の値との比較）によって行われてもよい。
【０２０７】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０２０８】
ソフトウェア、命令、情報などは、伝送媒体を介して送受信されてもよい。たとえば、ソフトウェアが、有線技術（同軸ケーブル、光ファイバケーブル、ツイストペア、デジタル加入者回線（Digital  Subscriber  Line（ＤＳＬ））など）および無線技術（赤外線、マイクロ波など）の少なくとも一方を使用してウェブサイト、サーバ、または他のリモートソースから送信される場合、これらの有線技術および無線技術の少なくとも一方は、伝送媒体の定義内に含まれる。
【０２０９】
本開示において使用する「システム」および「ネットワーク」という用語は、互換的に使用され得る。
【０２１０】
本開示において、「プリコーディング」、「プリコーダ」、「ウェイト（プリコーディングウェイト）」、「擬似コロケーション（Quasi-Co-Location（ＱＣＬ））」、「ＴＣＩ状態（Transmission  Configuration  Indication  state）」、「空間関係（spatial  relation）」、「空間ドメインフィルタ（spatial  domain  filter）」、「送信電力」、「位相回転」、「アンテナポート」、「アンテナポートグル−プ」、「レイヤ」、「レイヤ数」、「ランク」、「ビーム」、「ビーム幅」、「ビーム角度」、「アンテナ」、「アンテナ素子」、「パネル」などの用語は、互換的に使用され得る。
【０２１１】
本開示においては、「基地局（Base  Station（ＢＳ））」、「無線基地局」、「固定局（fixed  station）」、「ＮｏｄｅＢ」、「ｅＮｏｄｅＢ（ｅＮＢ）」、「ｇＮｏｄｅＢ（ｇＮＢ）」、「アクセスポイント（access  point）」、「送信ポイント（transmission  point）」、「受信ポイント（reception  point）」、「送受信ポイント（transmission/reception  point）」、「セル」、「セクタ」、「セルグループ」、「キャリア」、「コンポーネントキャリア」、「帯域幅部分（Bandwidth  Part（ＢＷＰ））」などの用語は、互換的に使用され得る。基地局は、マクロセル、スモールセル、フェムトセル、ピコセルなどの用語で呼ばれる場合もある。
【０２１２】
基地局は、１つまたは複数（たとえば、３つ）のセル（セクタとも呼ばれる）を収容することができる。基地局が複数のセルを収容する場合、基地局のカバレッジエリア全体は複数のより小さいエリアに区分でき、各々のより小さいエリアは、基地局サブシステム（たとえば、屋内用の小型基地局（Remote  Radio  Head（ＲＲＨ）））によって通信サービスを提供することもできる。「セル」または「セクタ」という用語は、このカバレッジにおいて通信サービスを行う基地局および基地局サブシステムの少なくとも一方のカバレッジエリアの一部または全体を指す。
【０２１３】
本開示においては、「移動局（Mobile  Station（ＭＳ））」、「ユーザ端末（user  terminal）」、「ユーザ装置（User  Equipment（ＵＥ））」、「端末」などの用語は、互換的に使用され得る。
【０２１４】
移動局は、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアントまたはいくつかの他の適切な用語で呼ばれる場合もある。
【０２１５】
基地局および移動局の少なくとも一方は、送信装置、受信装置、通信装置などと呼ばれてもよい。基地局および移動局の少なくとも一方は、移動体に搭載されたデバイス、移動体自体などであってもよい。当該移動体は、乗り物（たとえば、車、飛行機など）であってもよいし、無人で動く移動体（たとえば、ドローン、自動運転車など）であってもよいし、ロボット（有人型または無人型）であってもよい。基地局および移動局の少なくとも一方は、必ずしも通信動作時に移動しない装置も含む。たとえば、基地局および移動局の少なくとも一方は、センサなどのＩｏＴ（Internet  of  Things）機器であってもよい。
【０２１６】
本開示における基地局は、ユーザ端末で読み替えてもよい。たとえば、基地局およびユーザ端末間の通信を、複数のユーザ端末間の通信（たとえば、Ｄ２Ｄ（Device-to-Device）、Ｖ２Ｘ（Vehicle-to-Everything）などと呼ばれてもよい）に置き換えた構成について、本開示の各態様／実施形態を適用してもよい。この場合、上述の基地局１０が有する機能をユーザ端末２０が有する構成としてもよい。「上り」、「下り」などの文言は、端末間通信に対応する文言（たとえば、「サイド（side）」）で読み替えられてもよい。たとえば、上りチャネル、下りチャネルなどは、サイドチャネルで読み替えられてもよい。
【０２１７】
同様に、本開示におけるユーザ端末は、基地局で読み替えてもよい。この場合、上述のユーザ端末２０が有する機能を基地局１０が有する構成としてもよい。
【０２１８】
本開示において、基地局によって行われるとした動作は、場合によってはその上位ノード（upper  node）によって行われることもある。基地局を有する１つまたは複数のネットワークノード（network  nodes）を含むネットワークにおいて、端末との通信のために行われる様々な動作は、基地局、基地局以外の１つ以上のネットワークノード（たとえば、ＭＭＥ（Mobility  Management  Entity）、Ｓ−ＧＷ（Serving-Gateway）などが考えられるが、これらに限られない）またはこれらの組み合わせによって行われ得ることは明らかである。
【０２１９】
本開示において説明した各態様／実施形態は単独で用いてもよいし、組み合わせて用いてもよいし、実行に伴って切り替えて用いてもよい。また、本開示において説明した各態様／実施形態の処理手順、シーケンス、フローチャートなどは、矛盾の無い限り、順序を入れ替えてもよい。たとえば、本開示において説明した方法については、例示的な順序を用いて様々なステップの要素を提示しており、提示した特定の順序に限定されない。
【０２２０】
本開示において説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム、これらに基づいて拡張された次世代システムなどに適用されてもよい。また、複数のシステムが組み合わされて（たとえば、ＬＴＥまたはＬＴＥ−Ａと、５Ｇとの組み合わせなど）適用されてもよい。
【０２２１】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２２２】
本開示において使用する「第１の」、「第２の」などの呼称を使用した要素へのいかなる参照も、それらの要素の量または順序を全般的に限定しない。これらの呼称は、２つ以上の要素間を区別する便利な方法として本開示において使用され得る。したがって、第１および第２の要素の参照は、２つの要素のみが採用され得ることまたは何らかの形で第１の要素が第２の要素に先行しなければならないことを意味しない。
【０２２３】
本開示において使用する「判断（決定）（determining）」という用語は、多種多様な動作を包含する場合がある。たとえば、「判断（決定）」は、判定（judging）、計算（calculating）、算出（computing）、処理（processing）、導出（deriving）、調査（investigating）、探索（looking  up、search、inquiry）（たとえば、テーブル、データベースまたは別のデータ構造での探索）、確認（ascertaining）などを「判断（決定）」することであるとみなされてもよい。
【０２２４】
「判断（決定）」は、受信（receiving）（たとえば、情報を受信すること）、送信（transmitting）（たとえば、情報を送信すること）、入力（input）、出力（output）、アクセス（accessing）（たとえば、メモリ中のデータにアクセスすること）などを「判断（決定）」することであるとみなされてもよい。
【０２２５】
「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２２６】
「判断（決定）」は、「想定する（assuming）」、「仮定する（assuming）」、「期待する（expecting）」、「みなす（considering）」などで読み替えられてもよい。
【０２２７】
本開示に記載の「最大送信電力」は送信電力の最大値を意味してもよいし、公称最大送信電力（the  nominal  UE  maximum  transmit  power）を意味してもよいし、定格最大送信電力（the  rated  UE  maximum  transmit  power）を意味してもよい。
【０２２８】
本開示において使用する「接続された（connected）」、「結合された（coupled）」という用語、またはこれらのあらゆる変形は、２またはそれ以上の要素間の直接的または間接的なあらゆる接続または結合を意味し、互いに「接続」または「結合」された２つの要素間に１またはそれ以上の中間要素が存在することを含むことができる。要素間の結合または接続は、物理的であっても、論理的であっても、あるいはこれらの組み合わせであってもよい。たとえば、「接続」は「アクセス」で読み替えられてもよい。
【０２２９】
本開示において、２つの要素が接続される場合、１つ以上の電線、ケーブル、プリント電気接続などを用いて、ならびにいくつかの非限定的かつ非包括的な例として、無線周波数領域、マイクロ波領域、光（可視および不可視の両方）領域の波長を有する電磁エネルギーなどを用いて、互いに「接続」または「結合」されると考えることができる。
【０２３０】
本開示において、「ＡとＢが異なる」という用語は、「ＡとＢが互いに異なる」ことを意味してもよい。「離れる」、「結合される」などの用語も同様に解釈されてもよい。
【０２３１】
本開示において、「含む（include）」、「含んでいる（including）」およびこれらの変形が使用されている場合、これらの用語は、用語「備える（comprising）」と同様に、包括的であることが意図される。さらに、本開示において使用されている用語「または（or）」は、排他的論理和ではないことが意図される。
【０２３２】
本開示において、たとえば、英語でのa,  anおよびtheのように、翻訳によって冠詞が追加された場合、本開示は、これらの冠詞の後に続く名詞が複数形であることを含んでもよい。
【０２３３】
以上、本開示に係る発明について詳細に説明したが、当業者にとっては、本開示に係る発明が本開示中に説明した実施形態に限定されないということは明らかである。本開示に係る発明は、請求の範囲の記載に基づいて定まる発明の趣旨および範囲を逸脱することなく修正および変更態様として実施することができる。したがって、本開示の記載は、例示説明を目的とし、本開示に係る発明に対して何ら制限的な意味をもたらさない。
【図１】
2020026455.tif 000003
【図２】
2020026455.tif 000004
【図３】
2020026455.tif 000005
【図４】
2020026455.tif 000006
【図５】
2020026455.tif 000007
【図６】
2020026455.tif 000008
【図７】
2020026455.tif 000009
【図８】
2020026455.tif 000010
【図９】
2020026455.tif 000011
【図１０】
2020026455.tif 000012
【図１１】
2020026455.tif 000013
【国際調査報告】
2020026455.tif 000014
2020026455.tif 000015